(57)【要約】      （修正有）【課題】少ない部品点数で構成するので、形状が大きくならず狭い空間にも使用でき、且つ扉などの施錠の際に特徴的な音を発生することが可能な施錠機構の提供を目的とする。【解決手段】施錠動作に連動してスライド移動を行うスライド機構１５に、打撃部１５ｂ、１５ｃを配置するとともに、スライド動作の際、打撃部１５ｂ、１５ｃに干渉して弾かれることで確認音を発生させる振動弁１７を前記打撃部１５ｂ、１５ｃに合わせて配置する。これにより施錠の際、上記した振動弁１７が打撃部１５ｂ、１５ｃに弾かれ確認音を発生させる。【選択図】図２
2007262666.tif 000002
【特許請求の範囲】
【請求項１】
施錠の際、施錠動作に連動してスライド板が凹部に挿入するスライド移動を行うことで、前記扉の開閉を防止するスライド機構と、
前記スライド機構を収容するとともに、前記スライド機構が所定方向にスライドするのを支持する筺体とを有する施錠装置において、
前記スライド機構は、一端に複数の打撃片を配置する打撃部を有し、
前記筺体は、前記スライド機構の打撃部により弾かれて弾音を響かせる振動弁とを有し、
上記スライド機構のスライド移動によって、上記打撃部の打撃片と、上記振動弁とが干渉して施錠されている旨を示す前記弾音を響かせることを特徴とする施錠装置。
【請求項２】
前記振動弁は、複数の櫛状に形成された弾音片を有するとともに、前記弾音片ごとに異なる音階が割り当てられた長さの異なる薄い板状の形状をなし、
前記スライド機構の打撃部は、前記弾音片よりも幅の狭い形状であって、前記振動弁の弾音片に対応するよう設けられていることを特徴とする請求項１に記載の施錠装置。
【請求項３】
上記スライド機構は、一端に前記振動弁を有し、
前記筺体は、施錠動作に連動した前記スライド機構のスライド移動に合わせて前記振動弁を弾くよう前記打撃部を配置することを特徴とする請求項１に記載の施錠装置。  
【請求項４】
前記スライド機構は、前記スライド板がスライドする方向と略並行に配置した複数の打撃部とを有し、
前記各打撃部は、施錠動作に連動させて前記スライド板を前記凹部にスライド移動させる際は、板状の打撃片を前記スライド板のスライド移動に連動して、前記弾音片を弾くことが可能なよう突出させて配置することを特徴とする請求項１〜請求項３のいずれかに記載の施錠装置。
【請求項５】
前記各打撃部は、回転軸を中心として前記スライド機構のスライド方向と略水平に回転可能に固定されるとともに、上方へ付勢するようバネ性を有する付勢片によって上方に支持され、さらには、棒状の突起片により、回転軸を中心とした時計回りの回転を阻害されることで、
施錠動作に連動させて前記スライド板を前記凹部にスライド移動させる際は、前記振動弁を弾くよう支持されるとともに、
前記施錠を解除する際における前記打撃片と振動弁とを干渉させる方向とは逆の方向への前記スライド移動においては、前記打撃部は、前記振動弁を弾かないように前記振動弁に前記打撃片を押し下げられることを特徴とする請求項１〜請求項４のいずれかに記載の施錠装置。
【発明の詳細な説明】
【技術分野】
【０００１】
本発明は、施錠装置に関し、特に施錠時、または施錠の解除時に確認音を発生させる施錠装置に関する。 
【背景技術】
【０００２】
図９は従来の施錠装置を示す図である。同図より施錠装置１は、施錠の際、施錠動作に合わせて凹部にスライドして挿入するスライド板２ａを有するスライド機構２と、スライド機構２が一定方向にスライドするのを支持する筺体３とを有する構成である。スライド機構２の動作としては、図示しない鍵などの施錠動作に合わせてシリンダ部２ｃが回転軸２ｃ１を略中心として回転し、前記シリンダ部２ｃの回転により同シリンダ部２ｃの先端がスライド板２ａを押し出す。このとき、弾性力を有する板バネ２ｂは、スライド板２ａを押し出すようスライドさせることで、スライド板２ａは横方向の力を得てスライド移動を行う。これによりスライド板２ａの先端が凹部に挿入することで施錠を完了させる。
【０００３】
施錠装置１は、上述したようにスライド板２ａの先端が凹部に挿入するまでスライドすることにより施錠を完了する。しかしながら、施錠装置１は、通常扉に収容されており、スライド板２ａが確実に凹部に挿入されているかを目視することができない。そのため、スライド板２ａの先端が凹部に確実に挿入されたかどうかの確認は、扉を開閉するなどして確認するしか方法がなかった。
【０００４】
施錠を確実に行ったかを確認する方法としては、クレセント形式の施錠方法において、前記クレセントを施錠方向に回した際に、前記クレセントの回転に合わせて打撃音が発生する構成とすることで、クレセントが確実に施錠したか否かを前記打撃音にて確認する方法が開示されている（例えば、特許文献１参照。）。
【０００５】
また、冷蔵庫のドアが確実に閉まっているかを確認するために、オルゴールを前記ドアの開閉に合わせて鳴るように配置し、前記ドアが開いているときはオルゴールにより所定の音楽が流れる方法が開示されている（例えば、特許文献２参照。）。
【０００６】
さらに、前記特許文献２の変形としては、自動車の扉の蝶番にオルゴールを配置し、扉の開閉に合わせてオルゴールが鳴ることで扉の半ドアを防止する方法が開示されている（例えば、特許文献３参照。）。
【特許文献１】特開２００１−９８８２４
【特許文献２】実開平６−５９７７８
【特許文献３】実用新案登録番号３０１８０５６
【発明の開示】
【発明が解決しようとする課題】
【０００７】
上述した特許文献１の発明は、次のような課題があった。つまり、施錠を確認する打撃音は、騒音が発生している場合は識別するのが困難な場合があった。さらには、打撃音自身はありふれた音なので、同様に確認音にならない場合があった。
【０００８】
また、特許文献２、さらには特許文献３の発明は、次のような課題がった。つまり、扉の開閉をオルゴールにて行うので、特徴のある音を発生させることが可能であるが、反面オルゴールの駆動用バネが切れた場合には、バネを巻きなおす必要があった。また、上記駆動用バネを自動で巻き直す機構を加えたとしても、機構自体が大掛かりになることは避けられず、扉に収容するような狭い空間に配置することは難しかった。
【０００９】
本発明は、上記課題にかんがみてなされたもので、少ない部品点数で構成するので、形状が大きくならず狭い空間にも使用でき、且つ扉などの施錠の際に特徴的な音を発生することが可能な施錠機構の提供を目的とする。
【課題を解決するための手段】
【００１０】
上記課題を解決するために、本発明の請求項１にかかる発明では、施錠の際、施錠動作に連動してスライド板が凹部に挿入するスライド移動を行うことで、前記扉の開閉を防止するスライド機構と、前記スライド機構を収容するとともに、前記スライド機構が所定方向にスライドするのを支持する筺体とを有する施錠装置において、前記スライド機構は、一端に複数の打撃片を配置する打撃部を有し、前記筺体は、前記スライド機構の打撃部により弾かれて弾音を響かせる振動弁とを有し、上記スライド機構のスライド移動によって、上記打撃部の打撃片と、上記振動弁とが干渉して施錠されている旨を示す前記弾音を響かせる構成としてある。
【００１１】
上記のように構成した請求項１にかかる発明においては、スライド機構は、打撃部を配置し、扉の施錠動作に連動してスライド機構がスライド移動することで前記打撃部が振動弁を振動させ確認音を発生させるので、部品点数の少ない簡易な構造でスペースを必要とせず、且つ特徴的な確認音を発生することが可能な施錠装置を提供することができる。
【００１２】
また、上記目的を達成するために、請求項２に記載の発明では、請求項１に記載の施錠装置において、前記振動弁は、複数の櫛状に形成された弾音片を有するとともに、前記弾音片ごとに異なる音階が割り当てられた長さの異なる薄い板状の形状をなし、前記スライド機構の打撃部は、前記振動弁の弾音片に対応するよう設けられている構成としてある。
【００１３】
上記のように構成した請求項２にかかる発明において、振動弁は、複数の櫛状に形成された弾音片を有するとともに、前記弾音片ごとに異なる音階が割り当てられた長さの異なる薄い板状の形状をなし、前記打撃部が前記弾音片を振動させることにより異なる音を発生させるので、施錠の際の確認を確実に行うことができる。
【００１４】
そして、請求項３にかかる発明では、請求項１に記載の施錠装置において、上記スライド機構は一端に前記振動弁を有し、前記筺体は、施錠動作に連動した前記スライド機構のスライド移動に合わせて前記振動弁を弾くよう前記打撃部を配置する構成としてある。
【００１５】
上記のように構成した請求項３にかかる発明において、振動弁を前記スライド機構に配置し、打撃部を筺体に配置することで、構造を簡素化しつつ構造自体をさらに小さくすることがで、狭いスペースでも使用することができる。
【００１６】
さらに、請求項４にかかる発明では、請求項１〜請求項３のいずれかに記載の施錠装置において、前記スライド機構は、前記スライド板がスライドする方向と略並行に配置した複数の打撃部とを有し、前記各打撃部は、施錠動作に連動させて前記スライド板を前記凹部にスライド移動させる際は、板状の打撃片とを前記スライド板のスライド移動に連動して、前記弾音片を弾くことが可能なよう上方に突出させて配置する構成としている。
【００１７】
上記のように構成した請求項４にかかる発明において、複数配置された打撃部が、スライド移動に合わせて前記振動弁を複数回弾くので、確認音を複数回響かせ施錠の際の確認効果を高めることができる。
【００１８】
さらに、請求項５にかかる発明は、請求項１〜請求項４のいずれかに記載の施錠装置において、前記各打撃部は、回転軸を中心として前記スライド機構のスライド方向と略水平に回転可能に固定されるとともに、上方へ付勢するようバネ性を有する付勢片によって上方に支持され、さらには、棒状の突起片により、回転軸を中心とした時計回りの回転を阻害されることで、施錠動作に連動させて前記スライド板を前記凹部にスライド移動させる際は、前記振動弁を弾くよう支持されるとともに、前記施錠を解除する際における前記打撃片と振動弁とを干渉させる方向とは逆の方向への前記スライド移動においては、前記打撃部は、前記振動弁を弾かないように前記振動弁に前記打撃片を押し下げられる構成としている。
【００１９】
上記のように構成した請求項５にかかる発明において、施錠の解除の際は、前記打撃部と振動弁とは干渉しないので施錠の解除の際は確認音を響かせず、施錠と施錠解除を確認音の有無によって識別することができる。
【発明の効果】
【００２０】
以上説明したように本発明によれば、部品点数の少ない簡易な構造でスペースを必要とせず、且つ特徴的な確認音を発生することが可能な施錠装置を提供することができる。
また、請求項２にかかる発明によれば、施錠の際特徴のある確認音を響かせることができるので、施錠の際の確認を確実に行うことができる。
さらに請求項３にかかる発明によれば、配置を換えることで簡素化した構造にすることで、構造自体をさらに小さくすることがで、狭いスペースでも使用することができる。
また、請求項４にかかる発明によれば、確認音を複数回響かせるので施錠の際の確認効果を高めることができる。
そして請求項５にかかる発明によれば、施錠の解除の際は確認音を響かせないので、施錠と施錠解除を確認音の有無によって識別することができる。
【発明を実施するための最良の形態】
【００２１】
本発明の施錠装置の具体的な説明として、上記施錠装置を使用する扉を基に説明する。しかしながら、本発明の施錠装置は上記扉に限定されるものではなく、本発明の施錠装置を使用するものであれば応用することができる。
以下、下記の順序に従って本発明の実施形態を説明する。
（１）第一の実施の形態
（２）第二の実施の形態
（３）第三の実施の形態
（４）変形例
（５）まとめ
【００２２】
（１）第一の実施の形態
以下、図１、図２、図３、図４、図５、図６、図７、図８を参照して、この発明に係る施錠装置を具体化した第１の実施の形態について説明する。図１は第一の実施例としての扉１４を示す図である。同図より扉１４は、扉板１１と、ドアノブ１２と、施錠装置１０と、枠部１３とを有する構成である。扉１４の概略構成としては、ドアノブ１２を握りとして扉板１１を開閉することにより、野外から室内へ、ないしは部屋から部屋への出入りを行うためのものである。本発明の一実施形態としての扉１４は開き戸を基に説明するが、無論開き戸に限定されるものではなく、引き戸や蛇腹戸であってもよい。また、ドアノブ１２もこれに限定されず、ドアノブ１２の代わりにレバーであってもよい。以下に各構成の説明を行う。
【００２３】
ドアノブ１２は、扉１４を開閉する際に握り手として使用するとともに、扉１４の施錠の際には、鍵等を用いて、後述する施錠装置１０のスライド板をスライドさせるためのものである。上述した、鍵等による施錠はドアノブ１２の軸１２ａの回転と連動しており、軸１２ａの回転が後述するスライド機構１５のスライド移動の基となる。枠部１３は、開口部１３ａを構成するよう枠状の形状であって、蝶番１３ｂと、凹部１３ｃとを有する構成である。開口部１３ａは、扉板１１を閉じた際に、空間を遮蔽するよう扉板１１と略同形状の形状である。蝶番１３ｂは、扉板１１の開閉を行うためのものである。また、扉板１１を蝶番１３ｂを介して開口部１３ａに収容した際、枠部１３は、後述する施錠装置１０のスライド板１５ａがスライドする位置に凹部１３ｃを配置している。これにより、ドアノブ１２にて施錠を行った際、スライド板１５ａが凹部１３ｃに挿入することにより施錠を完了する。
【００２４】
図２は、施錠装置１０を示す図である。同図より、施錠装置１０は、スライド機構１５と、突出部１６と、振動弁１７と、筺体１８とを有する構成である。突出部１６は図示しない機構によって、ドアノブ１２の回転に連動して筺体から突出または収容される。ドアノブ１２にて施錠を行わない場合は、扉板１１は通常、突出部１６が凹部に挿入することにより扉が開くことを防止する。筺体１８は、スライド機構１５が所定方向にスライド移動するのを支持する施錠面１８ａと、スライド機構１５を収容する収容部１８ｂとを有する構成である。施錠面１８ａは、後述する方法でスライド機構１５のスライド板１５ａが突出する開口部１８ａ１を有しており、開口部１８ａ１をスライド板１５ａの断面と略同形状とすることにより、スライド板のスライド移動を所定方向に規制する。本発明の施錠装置は、施錠用のスライド機構と、施錠を行わない扉板の開きを防止するための突出部とを別に設けているが、無論これを同一の部材で構成してもよい。
【００２５】
スライド機構１５は、スライド板１５ａ、第一の打撃部１５ｂ、第二の打撃部１５ｃ、シリンダ１５ｄ、付勢片１５ｅ、さらには本体部１５ｆとを有する構成である。同図より、本体部１５ｆの先端には、略矩形断面を有するスライド板１５ａが配置され、シリンダ１５ｄの回転に合わせて、本体部１５ｆのスライド移動に連動してスライド板１５ａが枠部１３の凹部１３ｃに挿入することで、施錠を完了する。以下にスライド機構の各部を説明する。
【００２６】
シリンダ１５ｄは、ドアノブ１２の軸１２ａが挿入して係合する矩形のシリンダ回転用開口部１５ｄ１を有しており、ドアノブ１２の軸１２ａの回転に合わせてシリンダ１５ｄの先端の押出し片１５ｄ２がスライド機構１５の本体部１５ｆを押し出すことでスライド移動させる。また、本体部１５ｆには、シリンダ１５ｄを用いて本体部１５ｆをスライド移動させた際、確実にスライド板１５ａを凹部１３ｃまでスライド移動させるための付勢片１５ｅが固定されている。付勢片は、バネ性を有する薄い板状の形状であり、シリンダ１５ｄの押出し片１５ｄ２による押し上げを基に、弾性力を発生させ、本体部１５ｆをスライド移動させる。これにより本体部１５ｆは、付勢片１５ｅにより確実にスライド移動を行い、スライド板１５ａを上述した凹部１３ｃに挿入する。
【００２７】
筺体１８の上部左側には、複数の櫛状に形成された弾音片１７ａ、１７ｂ、１７ｃ、１７ｄとを有する振動弁１７が、スライド機構１５のスライド移動方向と略垂直に配置されるようネジ止めされている。また、弾音片１７ａ、１７ｂ、１７ｃ、１７ｄは、薄い板状の形状であり、各弾音片ごとに異なる音階が割り当てられるよう各長さが異なる形状をしている。本発明の一実施形態である弾音片は厚みの薄い金属にて形成された４片から構成されているが、これに限定されるものではなく発生させる音に合わせてその数を変更してもよいし、さらには、振動弁自体を複数配置してもよい。また、上述した弾音片の長さを変化させることで、簡易に確認音を好みの音に変更することが可能となる。
【００２８】
また、スライド機構１５には、スライド機構１５がスライドする方向と略並行に配置した、第一の打撃部１５ｂと、第二の打撃部１５ｃとを有している。第一の打撃部１５ｂと第二の打撃部１５ｃとは、板状の打撃片１５ｂ１と１５ｃ１、とをスライド機構１５のスライド移動に連動して、上記した弾音片１７ａ、１７ｂ、１７ｃ、１７ｄとを弾くことが可能なよう上方に突出させて配置しているとともに、回転軸１５ｂ２、１５ｃ２を中心としてスライド方向と略水平に回転可能に固定されている。
【００２９】
打撃片１５ｂ１と打撃片１５ｃ１の形状としては、スライド機構１５がスライド移動した際、上述した弾音片１７ａ、１７ｂ、１７ｃ、１７ｄと干渉して同弾音片１７ａ、１７ｂ、１７ｃ、１７ｄとを弾くように配置されることが望ましい。そのため、本発明の一実施形態としては、打撃片１５ｂ１、１５ｃ１は、弾音片１７ａ、１７ｂ、１７ｃ、１７ｄより狭い幅の形状とするとともに、第一の打撃部１５ｂと第二の打撃部１５ｃとでは、打撃片１５ｂ１、１５ｃ１の突出する位置を異ならせて各２本ずつ配置している。これにより、スライド機構１５がスライド移動した際、第一の打撃部１５ｂの打撃片１５ｂ１、１５ｂ１は、弾音片１７ａ、１７ｃを弾き、第二の打撃部１５ｃの打撃片１５ｃ１、１５ｃ１は、弾音片１７ｂ、１７ｃを弾くことで、それぞれ確認音を響かせる。これにより、スライド板１５ａのスライド動作に合わせて振動弁１７の弾音片を複数回弾くようスライド方向に複数配置されるので、より一層の確認効果を得ることが可能となる。
【００３０】
また、第一の打撃部１５ｂと第二の打撃部１５ｃとは、棒状の突起片１５ｇ１、１５ｇ２により、回転軸１５ｂ２、１５ｃ２を中心とした時計回りの回転を阻害されている。さらに、第一の打撃部１５ｂと第二の打撃部１５ｃとは、打撃片１５ｂ１、１５ｃ１が常に上方へ付勢するようバネ性を有する付勢片１５ｇ３、１５ｇ４によって上方に支持されている。これにより、第一の打撃部１５ｂと、第二の打撃部１５ｃとは、平常時は、打撃片１５ｂ１と１５ｃ１とを付勢片１５ｇ３、１５ｇ４の支持により上方に突出するよう配置し、図中左側からの振動弁１７の干渉に対しては、突起片１５ｇ１、１５ｇ２の支持により回転を押とどめるが、図中右側からの振動弁１７の干渉に対しては、回転軸１５ｂ２と回転軸１５ｃ２を中心として付勢片１５ｇ３、１５ｇ４を押し下げるよう半時計周りの回転を行う。これにより本発明は、回転軸１５ｂ２、１５ｃ２、突起片１５ｇ１、１５ｇ２、さらには付勢片１５ｇ３、１５ｇ４により干渉防止機能を実現する。
【００３１】
以下に図３、図４、図５を用いて施錠時における施錠装置１０の作用を説明する。図３は施錠動作における確認音を発生させる様子を示した図である。図４は、第一の打撃片が振動弁と干渉する様子を示す図である。図５は、第二の打撃片が振動弁と干渉する様子を示す図である。同図より、ドアノブ１２の軸１２ａの回転に合わせて、シリンダ１５ｄが回転すると、押し出し片１５ｄ２は、付勢片１５ｅを上方へ押し上げるとともに、本体部１５ｆを図の左側にスライド移動させるよう押し出す。このとき本体部１５ｆに上述した方法で配置された第一の打撃部１５ｂと、第二の打撃部１５ｃとは、本体部１５ｆのスライド移動に合わせて図中左側へスライドするとともに、図４に示すように第一の打撃部１５ｂの打撃片１５ｂ１は、振動弁１７の弾音片１７ａと１７ｃを前記スライド移動に合わせて図中左側から押し上げる。このとき、第一の打撃部１５ｂは、干渉防止手段である突起片１５ｇ１が回転軸１５ｂ２を中心とした時計回りの回転を阻害するので、第一の打撃部１５ｂは、弾音片１７ａ、１７ｃをそのまま押し上げ、やがては弾音片１７ａ、１７ｃの下方を通過することで弾音片１７ａ、１７ｃを弾く。
【００３２】
上述した第一の打撃部１５ｂの弾きにより、振動弁１７の弾音片１７ａ、１７ｃは振動を発生させ確認音を生じさせる。また、ドアノブ１２の軸１２ａの回転にともなう本体部１５ｆのスライド移動により、図５に示すように第二の打撃部１５ｃも、第一の打撃部１５ｂと同様に、打撃片１５ｃ１、１５ｃ１にて振動弁１７の弾音片１７ｂ、１７ｄを弾くことで振動させ確認音を生じさせる。このため、施錠動作におけるスライド機構１５のスライド移動にともなって、弾音片が鳴動することにより生じる確認音が複数回発生するので、より一層の確認効果を得ることが可能となる。最後に、ドアノブ１２の軸１２ａの回転に連動して、シリンダ１５ｄの押し出し片１５ｄ２が付勢片１５ｅを押し上げるとともに、本体部１５ｆを押し出す。シリンダ１５ｄの回転が上死点まで達成すると、押し出し片１５ｄ２の付勢片１５ｅを押し上げる力が解除され、付勢片１５ｅは蓄積した弾性力を用いて本体部１５ｆをスライド移動させる。これにより、スライド板１５ａは、枠部１３の凹部１３ｃに確実に挿入して施錠を完了させる。
【００３３】
次に図６を用いて、施錠解除時における施錠装置１０の作用を説明する。施錠解除動作に連動して、ドアノブ１２の軸１２ａが施錠時とは逆方向に回転すると、当然、シリンダ１５ｄは、同様に図中での時計回りに回転を始める。このため、押し出し片１５ｄ２は、本体部１５ｆを図中右方向にスライド移動させる。軸１２ａの回転にともなって本体部１５ｆが所定長までスライド移動すると、やがて、第二の打撃部１５ｃの打撃片１５ｃ１と振動弁１７の弾音片１７ｂ、１７ｄとが干渉する。このとき、第二の打撃部１５ｃは、弾音片１７ｂ、１７ｄの図中右からの干渉にともなう反時計回りの回転を阻害されず、本体部１５ｆのスライド移動にともなって弾音片１７ｂ、１７ｄによって回転軸１５ｃ２を中心とした反時計回りに下方に押し下げられる。
【００３４】
上述した方法で押し下げられた打撃片１５ｃ１は、自身の押し下げにより付勢片１５ｇ４を押し下げるが、本体部１５ｆのスライド移動にともなって、やがて第二の打撃部１５ｃは振動弁１７の下方を通過する。これにより、第二の打撃部１５ｃは、弾音片１７ｂ、１７ｃの押し下げる力が解除され、付勢片１５ｇ４の付勢力により回転軸１５ｃ２を中心とした図中での時計周りに押し上げられる。また、上述した本体部１５ｆのスライド移動にともなって、第一の打撃部１５ｂも同様な動作を行い、弾音片１７ａ、１７ｃの振動による確認音を発生させない。上述した作用により、確認音は施錠時のみ発生し、施錠解除時には発生しない。これにより、施錠時と施錠解除時を確認音の発生の有無によって識別することが可能となる。
【００３５】
（２）第二の実施の形態
上述した構成によりスライド機構１５は、施錠動作に連動して識別音を発生させるが、振動弁１７をスライド機構１５の一端に配置し、筺体１８側に打撃部を配置してもよい。筺体１８は、施錠動作に連動したスライド機構１５のスライド移動に合わせて振動弁１７を弾くよう打撃部１５ｂ、１５ｃとを配置することにより上述した施錠装置１０と同様な効果を得ることが可能となる。これにより、配置を換えることで簡素化した構造にすることで、構造自体をさらに小さくすることがで、狭いスペースでも使用することが可能となる。
【００３６】
（３）第三の実施の形態
図７を用いて本発明における第三の実施の形態について説明を行う。図５は、本発明における第二の実施の形態を示す図である。同図より、干渉防止手段を構成した付勢片１５ｇ３、１５ｇ４は削除され、変わりにねじりバネ１９が第一の打撃部１５ｂと第二の打撃部１５ｃとに固定されている。同図より、ねじりバネ１９は、第二の打撃部１５ｃによりバネの先端１９ａが固定され、バネの先端１９ｂは本体部１５ｆにより固定されている。これにより、第二の打撃部１５ｃは、突起片１５ｇ２により回転軸１５ｃ２を中心とした図中の時計回りの回転を阻害されるが、図中の半時計周りの回転は阻害されない。
【００３７】
また、ねじりバネ１９の付勢力により第二の打撃部１５ｃは上方に絶えず付勢されるとともに、上述した図４の施錠解除動作時における、弾音片１７ｂ、１７ｄが第二の打撃部１５ｃを下方に押し下げた場合は、ねじりバネ１９は前記した弾音片１７ｂ、１７ｄの押し下げ力を蓄え、スライド移動にともない押し下げ力が解除されるとねじりバネ１９の弾性力により第二の打撃部１５ｃを回転軸１５ｃ２を中心とした図中時計周りの回転方向に押し上げる。これにより、回転軸１５ｂ２、１５ｃ２、突起片１５ｇ１、１５ｇ２、さらには付勢片１５ｇ３、１５ｇ４により構成した干渉防止手段と同等の作用が得られるとともに、突起片１５ｇ１、１５ｇ２を省略した分だけ本体部１５ｆの大きさを小さくすることができ、施錠装置１０を狭いスペースでも使用することが可能となる。
【００３８】
（４）変形例
以下に図８を用いて本発明の変形例について説明する。図８は本発明の変形例を示す図である。同図より、図中点線にて表示した部分が施錠装置１０であり、扉板１１は電子ロック２０を用いて施錠が行われるものである。図中電子ロック２０は、所定の番号並びに符号が表示された操作キー２０ａを有し、上記操作キー２０ａの操作により扉板１１の施錠並びに施錠解除が実施される。この場合は、施錠装置１０は、操作キー２０ａの操作に対応してシリンダ１５ｄを回転させることでスライド機構１５のスライド動作を行う。このため、シリンダ１５ｄのシリンダ回転用開口部１５ｄ１は、モータ等の電気的な信号を入力されると回転する駆動部の軸と接続し、操作キー２０ａを操作して所定の番号を入力すると上述した駆動部がシリンダ１５ｄを回転させ、スライド板のスライド移動を実現させる。
【００３９】
上述した変形例としての電子ロック２０は、図８に図示したような操作キー２０ａを操作するものに限定されず、カード読み取り形式の電子ロックや、指紋等の人体の一部にて個人を認識する方法の電子ロックであってもよい。
【００４０】
（５）まとめ
施錠動作に連動してスライド移動を行うスライド機構に、打撃部を配置するとともに、上記スライド動作の際、上記打撃部に干渉して弾かれることで確認音を発生させる振動弁を配置することで、施錠の際上記した振動弁が確認音を発生するので、部品点数の少ない簡易な構造でスペースを必要とせず、且つ特徴的な確認音を発生することが可能な施錠装置を提供することができる。
【００４１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４２】
【図１】第一の実施例としての扉１４を示す図である。
【図２】本発明の施錠装置１０を示す図である。
【図３】施錠動作における、確認音を発生させる様子を示した図である。
【図４】第一の打撃部が振動弁と干渉する様子を示す図である。
【図５】第二の打撃部が振動弁と干渉する様子を示す図である。
【図６】施錠解除動作における、施錠装置の動作を示す図である。
【図７】本発明における第二の実施の形態を示す図である。
【図８】本発明の変形例を示す図である。
【図９】従来の施錠装置を示す図である。
【符号の説明】
【００４３】
１０…施錠装置、１１…扉板、１２…ドアノブ、１２ａ…軸、１３…枠部、１３ａ…開口部、１３ｂ…蝶番、１３ｃ…凹部、１４…扉、１５…スライド機構、１５ａ…スライド板、１５ｂ…第一の打撃部、１５ｂ１…打撃片、１５ｂ２…回転軸、１５ｃ…第二の打撃部、１５ｃ１…打撃片、１５ｃ２…回転軸、１５ｄ…シリンダ、１５ｄ１…シリンダ回転用開口部、１５ｄ２…押し出し片、１５ｅ…付勢片、１５ｆ…本体部、１５ｇ１、１５ｇ２…突起片、１５ｇ３、１５ｇ４…付勢片、１６…突出部、１７…振動弁、１７ａ、１７ｂ、１７ｃ、１７ｄ…弾音片、１８…筺体、１８ａ…施錠面、１８ｂ…収容部、１８ａ１…開口部、１９…ねじりバネ、１９ａ、１９ｂ…バネ先端、２０…電子ロック、２０ａ…操作キー。
【図１】
2007262666.tif 000003
【図２】
2007262666.tif 000004
【図３】
2007262666.tif 000005
【図４】
2007262666.tif 000006
【図５】
2007262666.tif 000007
【図６】
2007262666.tif 000008
【図７】
2007262666.tif 000009
【図８】
2007262666.tif 000010
【図９】
2007262666.tif 000011